(57)【要約】【課題】従来の導光部材（光ファイバ等）を用いた光学装置の先行例においては、導光部材（光ファイバ等）と光学装置間の接続部の破損を避けるための対策や導光部材（光ファイバ等）と光学装置間の接続部破損による光漏れに対する対策が考慮されていない。【解決手段】本発明は、トレイと、トレイに設けられ光ディスクを回転させるスピンドルモータと、トレイに設けられスピンドルモータに対して近づいたり離れたりするキャリッジと、トレイに設けられ光を出射する発光部，キャリッジに設けられ光をひきまわす光学構成部及び発光部と光学構成部とを接続する導光部材とを有する光学装置とを備えた光ディスク装置であって、発光部の発光方向はトレイの光ディスク保持面側と反対側に向って傾斜している。【選択図】図５
2006236428.tif 000002
【特許請求の範囲】
【請求項１】
トレイと、
前記トレイに設けられ光ディスクを回転させるスピンドルモータと、
前記トレイに設けられ前記スピンドルモータに対して近づいたり離れたりするキャリッジと、
前記トレイに設けられ光を出射する発光部，前記キャリッジに設けられ光をひきまわす光学構成部及び前記発光部と前記光学構成部とを接続する導光部材とを有する光学装置と
を備えた光ディスク装置であって、
前記発光部の発光方向は前記トレイの光ディスク保持面側と反対側に向って傾斜し、
前記発光部から出射された光は前記導光部材を介して前記光学構成部に入り、前記光学構成部から光ディスクに照射され、光ディスクで反射されて再び前記光学構成部に入り、受光部に到達する
ことを特徴とする光ディスク装置。
【請求項２】
前記発光部の発光方向と光ディスク保持面とのなす角度θを０°＜θ≦４５°としたことを特徴とする請求項１に記載の光ディスク装置。
【請求項３】
前記発光部は前記キャリッジの移動による前記導光部材の移動方向に対し、回動自在となっていることを特徴とする請求項１に記載の光ディスク装置。
【請求項４】
前記発光部は前記キャリッジの移動による前記導光部材の移動方向と垂直方向に対し、可動自在となっていることを特徴とする請求項１記載の光ディスク装置。
【請求項５】
トレイと、
前記トレイに設けられ光ディスクを回転させるスピンドルモータと、
前記トレイに設けられ前記スピンドルモータに対して近づいたり離れたりするキャリッジと、
前記トレイに設けられ光を受光する受光部，前記キャリッジに設けられ光をひきまわす光学構成部及び前記受光部と前記光学構成部とを接続する導光部材とを有する光学装置と
を備えた光ディスク装置であって、
前記受光部の受光方向は前記トレイの光ディスク保持面側に向って傾斜し、
発光部から出射された光は前記光学構成部から光ディスクに照射され、光ディスクで反射されて再び前記光学構成部に入り、前記導光部材を介して前記受光部に到達する
ことを特徴とする光ディスク装置。
【請求項６】
前記受光部の受光方向と光ディスク保持面とのなす角度θを０°＜θ≦４５°としたことを特徴とする請求項５に記載の光ディスク装置。
【請求項７】
前記導光部材は案内部材により受光方向と光ディスク保持面とのなす角度θを０°＜θ≦４５°としたことを特徴とする請求項５に記載の光ディスク装置。
【請求項８】
前記受光部は前記キャリッジの移動による前記導光部材の移動方向に対し、回動自在となっていることを特徴とする請求項５に記載の光ディスク装置。
【請求項９】
前記受光部は前記キャリッジの移動による前記導光部材の移動方向と垂直方向に対し、可動自在となっていることを特徴とする請求項５に記載の光ディスク装置。
【発明の詳細な説明】
【技術分野】
【０００１】
本発明は、パーソナルコンピュータ等の据え置き型電子機器やノートブックパソコン，携帯型情報端末機器，携帯型映像装置等の携帯型電子機器に好適に用いられる光ディスク装置に関するものである。
【背景技術】
【０００２】
図１５〜図１８はそれぞれ従来の光ディスク装置を示す部分斜視図である。図１５〜図１８において、１はカバーで、カバー１は上カバー１ａと下カバー１ｂで構成され、カバー１は一方の端部に開口１ｃを有した袋状の構成となっている。カバー１の中には、トレイ２が挿抜自在に保持されている。トレイ２にはフロント部分にベゼル３が設けられており、このベゼル３はトレイ２をカバー１内に収納した際に開口１ｃを塞ぐようになっている。ベゼル３にはイジェクトボタン４が表出しており、このイジェクトボタン４を押下することで、図示していない機構によって、カバー１からトレイ２がわずかに飛び出し、トレイ２をカバー１から出し入れ可能となる状態とすることができる。
【０００３】
トレイ２には、開口部５が設けられており、この開口部５から光ピックアップモジュール６の表面が表出するようにトレイ２に取り付けられている。光ピックアップモジュール６は光ディスク９を回転駆動させるスピンドルモータ７が設けられており、更には、スピンドルモータ７に対して近づいたり離れたりするキャリッジ８が移動自在に設けられている。キャリッジ８には、図示していないが光を光ディスク９に照射することで、情報を光ディスク９に記録したり、また、光ディスク９からの反射光によって情報の再生を行ったりする光学装置が搭載されている。
【０００４】
１０はピックアップモジュール６の光ディスク９が装着する側に設けられたピックアップカバー、１１はキャリッジ８を移動させる駆動源となるモータ、１２，１３はトレイ２の両側部に係合し、しかもトレイ２に対して所定の範囲で移動可能に係止されたレール、１４，１５はそれぞれ下カバー１ｂに固定されたレールガイドで、レールガイド１４，１５は樹脂材料などによって構成され、しかも下カバー１ｂに一体に形成されたレールガイド固定部１６によって、係止されている。また、下カバー１ｂには一体に係止爪１７が設けられており、レール１２が所定以上飛び出さないようにレール１２の後端部に設けられた鍵状部とこの係止爪１７が当接する。なお、レール１３の方にも係止爪１７に相当する部分が下カバー１ｂに一体に設けられているが、図示していない。１８は下カバー１ｂの後端部に取り付けられた制御基板で、制御基板には集積回路１９，２０等の電子部品が各種実装されている。また、トレイ２をカバー１内に収納した際には、制御基板１８の一部とトレイ２の一部が重なる構成となる。
【０００５】
２１は可撓性を有するプリント基板で、プリント基板２１は制御基板１８とトレイ２を電気的に接続しており、スピンドルモータ７やキャリッジ８の駆動電力を供給したり、スピンドルモータ７，キャリッジ８の制御信号を送信したり、また、キャリッジ８に搭載された光学装置の制御を行う各種信号が双方向に伝達される。
【０００６】
先行例としては、（特許文献１）（特許文献２）がある。また、特に導光部材（光ファイバ等）を用いた光学装置の先行例としては、（特許文献３）がある。
【特許文献１】特開２００１−３０７４６０号公報
【特許文献２】特開２００３−１５１１９９号公報
【特許文献３】特開平７−２９６４１０号公報
【発明の開示】
【発明が解決しようとする課題】
【０００７】
しかしながら、前記従来の導光部材（光ファイバ等）を用いた光学装置の先行例においては、導光部材（光ファイバ等）と光学装置間の接続部の破損を避けるための対策や導光部材（光ファイバ等）と光学装置間の接続部破損による光漏れに対する対策が考慮されていない。
【０００８】
導光部材（光ファイバ等）と光学装置間の接続部には、光学装置の可動部の可動により応力集中が発生する。また、光学装置の可動部の可動回数は数百万回にのぼる高耐久が求められているものの、装置の小型・軽量化のために可動部負荷は極力減らしたいため導光部材（光ファイバ等）そのものもできるだけやわらかく、細いものが求められている。
【０００９】
以上のことにより、導光部材（光ファイバ等）と光学装置間の接続部が破損にいたることは十分に考えられる事象である。
【００１０】
また、導光部材（光ファイバ等）と光学装置間の接続部が破損した場合、制御側での信号処理にて光源をシャットダウンするとしても瞬間的には光漏れが発生する。光学装置にて使用されるレーザの光が、使用者の目に入ると非常に危険である。
【００１１】
本発明は、上記従来の課題を解決するものであり、光学装置に導光部材を使用した場合でも導光部材（光ファイバ等）と導光部材（光ファイバ等）で接続された光学装置の破損を回避することを目的としている。
【課題を解決するための手段】
【００１２】
本発明は、トレイと、トレイに設けられ光ディスクを回転させるスピンドルモータと、トレイに設けられスピンドルモータに対して近づいたり離れたりするキャリッジと、トレイに設けられ光を出射する発光部，キャリッジに設けられ光をひきまわす光学構成部及び発光部と光学構成部とを接続する導光部材とを有する光学装置とを備えた光ディスク装置であって、発光部の発光方向はトレイの光ディスク保持面側と反対側に向って傾斜していることを主要な特徴とする。
【発明の効果】
【００１３】
本発明の光ディスク装置は、導光部材（光ファイバ等）と導光部材（光ファイバ等）で接続された光学装置の破損を回避することができるという利点がある。
【発明を実施するための最良の形態】
【００１４】
トレイと、トレイに設けられ光ディスクを回転させるスピンドルモータと、トレイに設けられスピンドルモータに対して近づいたり離れたりするキャリッジと、トレイに設けられ光を出射する発光部，キャリッジに設けられ光をひきまわす光学構成部及び発光部と光学構成部とを接続する導光部材とを有する光学装置とを備えた光ディスク装置であって、発光部の発光方向はトレイの光ディスク保持面側と反対側に向って傾斜しているために、キャリッジの移動による導光部材（光ファイバ等）と発光部間の接続部への機械的ストレスの緩和により破損を回避することができる。また、最悪導光部材（光ファイバ等）と発光部間の接続部が破損し光漏れが発生した場合でも、発光部の発光方向は、使用者の目の位置となる前記光ディスク保持面側とは反対方向に光漏れが発生するため光学装置にて使用されるレーザの光を使用者が直接目に入ることを避けることができる。
【００１５】
また、発光部の発光方向の角度を０°＜θ≦４５°としたことにより、キャリッジの移動による導光部材（光ファイバ等）と発光部間の接続部への機械的ストレスの緩和を効果的に行う。また、発光部から漏れた光が、使用者の目の位置側となる光ディスク保持面側とは反対方向に確実に導くことができる。
【００１６】
また、発光部はキャリッジの移動による導光部材（光ファイバ等）の移動方向に対し、回動自在となっていることにより、光学装置の可動部の可動による導光部材（光ファイバ等）と発光部間の接続部への応力集中を避けることができ、破損を回避することができる。
【００１７】
また、発光部はキャリッジの移動による導光部材の移動方向と垂直方向に対し、可動自在となっていることにより、光学装置の可動部の可動による導光部材（光ファイバ等）と発光部間の接続部への応力集中を避けることができ、破損を回避することができる。
【００１８】
また、トレイと、トレイに設けられ光ディスクを回転させるスピンドルモータと、トレイに設けられスピンドルモータに対して近づいたり離れたりするキャリッジと、トレイに設けられ光を受光する受光部，キャリッジに設けられ光をひきまわす光学構成部及び受光部と光学構成部とを接続する導光部材とを有する光学装置とを備えた光ディスク装置であって、受光部の受光方向はトレイの光ディスク保持面側に向って傾斜しているために、キャリッジの移動による導光部材（光ファイバ等）と受光部間の接続部への機械的ストレスの緩和により破損を回避することができる。
【００１９】
また、受光部と接続される導光部材（光ファイバ等）の受光方向の角度を０°＜θ≦４５°としたことにより、キャリッジの移動による導光部材（光ファイバ等）と受光部間の接続部への機械的ストレスの緩和を効果的に行う。
【００２０】
また、導光部材（光ファイバ等）は少なくとも受光部との接続部以外の箇所でも受光方向を０°＜θ≦４５°の範囲にて光ディスク保持面側に傾斜させるようガイドされていることにより、導光部材（光ファイバ等）と受光部との接続部が外れた場合でも、導光部材（光ファイバ等）はガイドされているため一定の方向を保ち受光部に遮光されるため、光学装置にて使用されるレーザの光を使用者が直接目に入ることを避けることができる。
【００２１】
また、受光部はキャリッジの移動による導光部材の移動方向に対し、回動自在となっていることにより、光学装置の可動部の可動による導光部材（光ファイバ等）と受光部間の接続部への応力集中を避けることができ、破損を回避することができる。
【００２２】
また、受光部はキャリッジの移動による導光部材の移動方向と垂直方向に対し、可動自在となっていることにより、光学装置の可動部の可動による導光部材（光ファイバ等）と受光部間の接続部への応力集中を避けることができ、破損を回避することができる。
【００２３】
（実施の形態１）
図１〜図３はそれぞれ本発明の実施の形態１における光ディスク装置の表面を示す斜視図、図４は本発明の実施の形態１における光ディスク装置の裏面を示す斜視図である。なお、図１５〜図１８に示す符合と同じものは、同様の構成、機能である。図１〜図４において１はカバーで、カバー１は上カバー１ａと中フレーム１ｄと下カバー１ｅで構成され、カバー１は一方の端部に開口１ｃを有した袋状の構成となっている。また、３１はトレイカバーでトレイ２の補強やトレイ２を引き出した際の内蔵物の保護のために構成されている。図５は本発明の実施の形態１における光ディスク装置のトレイ部の裏面を示す斜視図（トレイカバー３１は図示せず）である。図７は本発明の実施の形態１における光ディスク装置の部分断面図であり、図５の断面Ａ−Ａを示す。図９は、本発明の実施の形態１における光ディスク装置におけるレーザ光の光路を模式的に示す図である。
【００２４】
まず、レーザ光の光路について図９を用いて説明する。
【００２５】
図９に示す発光部２２は、ＣＤ／ＤＶＤ用の２波長レーザ３３と導波路３４とを有し、ねじ止めや接着などの方法によりトレイ２に固定されている。導波路３４とホトニック結晶光ファイバ等で構成される導光部材２３の一端とは、接続部２４において接続されている。導光部材２３の他端は、キャリッジ８に設けられたレンズホルダ３５に固定されて接続されている。トレイ２に移動自在に設けられたキャリッジ８には、受光部２５とレンズホルダ３５とビームスプリッタ３６検出用レンズ３７と反射ミラー３８とが設けられており、レンズホルダ３５にはさらに波長選択性ホログラム３９と対物レンズ４０とが設けられている。
【００２６】
２波長レーザ３３から出射されたレーザ光は、導波路３４で集光され導光部材２３に入射される。導光部材２３に入射されたレーザ光は接続部２４を経て発光部２２から出射し、トレイ２に移動自在に設けられているキャリッジ８側へと向かい、レンズホルダ３５に接続された導光部材２３の端部から出射される。この導光部材２３のキャリッジ８側の端部には、ごみ付着対策や耐湿処理が施されている。導光部材２３から出射されたレーザ光はビームスプリッタ３６に入射して反射された後、ビームスプリッタ３６から出射し波長選択性ホログラム３９を通過し、対物レンズ４０に入射する。対物レンズ４０に入射したレーザ光は図示しない光ディスク９に向かって紙面手前側に出射する。光ディスク９で反射したレーザ光は再び対物レンズ４０に入射した後、波長選択性ホログラム３９を通過し、ビームスプリッタ３６に入射する。ビームスプリッタ３６に入射した反射レーザ光は、ビームスプリッタ３６内の反射膜で反射され、検出用レンズ３７側に出射する。ビームスプリッタ３６から出射した反射レーザ光は平行光であり、検出用レンズ３７で集光された後反射ミラー３８で反射され、光電子集積回路（ＯＥＩＣ）等で構成される受光部２５に入射する。
【００２７】
次に、発光部２２について図５，図７を用いてさらに説明する。
【００２８】
図５では、キャリッジ８の２状態を同時に示している。８ａ，８ｂはキャリッジ８であり、８ａはキャリッジ８がスピンドルモータ７に対し近づいた状態、８ｂはキャリッジ８がスピンドルモータ７に対し離れた状態を示す。図５，図７において、２２は光学装置の発光部であり、トレイ２の発光部固定台２ａに接着・ねじ止め等により固定されている。
【００２９】
この発光部２２の発光方向Ｘは、トレイ２のスピンドルモータ７に装着された光ディスク９側（光ディスク保持面側）とは反対側に傾斜している。ここで、発光方向Ｘとは、発光部２２から出射するレーザ光が導光部材２３を介してキャリッジ８側に出射する方向であり、発光部２２と導光部材２３とが接続する接続部２４における導光部材２３の方向のうちキャリッジ８に向かう方向である。
【００３０】
なお、発光方向Ｘは、導光部材２３の方向のうち、図７に示す接続部２４における導光部材２３の方向に限定するものではなく、発光部と導光部材とが接続している位置での導光部材の方向のうち発光部からキャリッジに向かう方向であればよい。
【００３１】
なお、光学装置の他部（受光部２５等）はキャリッジ８に搭載されている。２３は光ファイバ等で構成される導光部材であり、キャリッジ８と発光部２２へそれぞれ固定されている。なお、キャリッジ８はスピンドルモータ７に対し、近づいたり離れたりすることで光ディスク９の内外周で情報の記録や再生を行うようになっている。このため、導光部材２３は数百万回にのぼる往復動作に耐えるために可撓性のある、細く、やわらかいものとなっている。
【００３２】
以上の構成により、発光部２２より発光された光（図示せず）は、導光部材２３を介してキャリッジ８へ導かれ、光ディスク９に光を照射することで情報を光ディスク９に記録したり、また、光ディスク９からの反射光を受光部２５で受けることで情報の再生を行ったりしている。また、キャリッジ８がスピンドルモータ７に対し、近づいたり離れたりすることで光ディスク９の内外周で情報の記録や再生を行えるようになっている。
【００３３】
なお実施の形態１において、発光部２２の固定の傾斜角度は光ディスク９に対し０°以上４５°程度までの角度が好ましい。０°以下になると発光部２２の発光方向Ｘが光ディスク９の方向となるため、導光部材２３と発光部２２間の接続部２４が破損し光漏れが発生した場合に、発光部２２の発光方向Ｘが、使用者の目の位置側となる光ディスク９の保持方向となるため光学装置にて使用されるレーザの光が使用者の目に直接入る危険性がある。また、４５°以上となると発光部２２の高さが高くなり、レイアウトが困難になると同時に、導光部材２３と発光部２２間の接続部２４にかかる機械的ストレスが高くなり接続部２４の破損につながる。
【００３４】
（実施の形態２）
図６は本発明の実施の形態２における光ディスク装置のトレイ部の裏面を示す斜視図（トレイカバー３１は図示せず）である。図８は本発明の実施の形態２における光ディスク装置の部分断面図であり、図６の断面Ｂ−Ｂを示す。図１〜図４、図１５〜図１８に示す符合と同じものは、同様の構成、機能であり、異なる符号を用いて説明するものを除いて、実施の形態１で説明した光ディスク装置と同様の構成、機能を有する。
【００３５】
図６では、キャリッジ８の２状態を同時に示している。８ａ、８ｂはキャリッジ８であり、８ａはキャリッジ８がスピンドルモータ７に対し近づいた状態、８ｂはキャリッジ８がスピンドルモータ７に対し離れた状態を示す。図６、図８において、２２は光学装置の発光部であり、トレイ２の発光部固定台２ａに発光部２２が固定され、この発光部２２の発光方向Ｘは、トレイ２のスピンドルモータ７に装着された光ディスク９側（光ディスク保持面側）とは反対側に傾斜している。
【００３６】
また発光部２２は固定ピン２６と固定ばね２７にてキャリッジ８の移動方向に対し回動自在に、且つ、キャリッジ８の移動方向と垂直方向に対し、可動自在に固定している。なお、光学装置の他部（受光部２５等）はキャリッジ８に搭載されている。２３は光ファイバ等で構成される導光部材であり、キャリッジ８と発光部２２へそれぞれ固定されている。なお、キャリッジ８はスピンドルモータ７に対し、近づいたり離れたりすることで光ディスク９の内外周で情報の記録や再生を行うようになっている。このため、導光部材２３は数百万回にのぼる往復動作に耐えるために可撓性のある、細く、やわらかいものとなっている。
【００３７】
以上の構成により、発光部２２より発光された光（図示せず）は、導光部材２３を介してキャリッジ８へ導かれ、光ディスク９に光を照射することで情報を光ディスク９に記録したり、また、光ディスク９からの反射光を受光部２５で受けることで情報の再生を行ったりしている。また、キャリッジ８がスピンドルモータ７に対し、近づいたり離れたりすることで光ディスク９の内外周で情報の記録や再生を行えるようになっている。
【００３８】
実施の形態２において、発光部２２の固定の傾斜角度は光ディスク９に対し０°以上４５°程度までの角度が好ましい。０°以下になると発光部２２の発光方向Ｘが光ディスク９の方向となるため、導光部材２３と発光部２２間の接続部２４が破損し光漏れが発生した場合に、発光部２２の発光方向Ｘが、使用者の目の位置側となる光ディスク９の保持方向となるため光学装置にて使用されるレーザの光が使用者の目に直接入る危険性がある。
【００３９】
また、４５°以上となると固定部２２の高さが高くなり、レイアウトが困難になると同時に、導光部材２３と発光部２２間の接続部２４にかかる機械的ストレスが高くなり接続部２４の破損につながる。
【００４０】
（実施の形態３）
図１０は本発明の実施の形態３における光ディスク装置のトレイ部の裏面を示す斜視図（トレイカバー３１は図示せず）である。図１２は本発明の実施の形態３における光ディスク装置の部分断面図であり、図１０の断面Ｃ−Ｃを示す。図１３は本発明の実施の形態３における光ディスク装置の部分断面図であり、図１０の断面Ｃ−Ｃを示す別の例である。図１〜図４、図１５〜図１８に示す符合と同じものは、同様の構成、機能である。
【００４１】
図１０では、キャリッジ８の２状態を同時に示している。８ａ、８ｂはキャリッジ８であり、８ａはキャリッジ８がスピンドルモータ７に対し近づいた状態、８ｂはキャリッジ８がスピンドルモータ７に対し離れた状態を示す。図１０、図１１において、２８は光学装置の受光部であり、トレイ２の受光部固定台２ｂに接着・ねじ止め等により固定されている。
【００４２】
この受光部２８の受光方向Ｙは、トレイ２のスピンドルモータ７に装着された光ディスク９側（光ディスク保持面側）に傾斜している。ここで、受光方向Ｙとは、光ディスク９からの反射光などを受光部２８が導光部材２３から受光する方向であり、導光部材２３と受光部２８とが接続する接続部２９における導光部材２３の方向のうち受光部２８に向かう方向である。
【００４３】
なお、受光方向Ｙは、導光部材２３の方向のうち、図１２，図１３に示す接続部２９における導光部材２３の方向に限定するものではなく、導光部材と受光部とが接続している位置での導光部材の方向のうち受光部に向かう方向であればよい。
【００４４】
なお、光学装置の他部（発光部３０等）はキャリッジ８に搭載されている。２３は光ファイバ等で構成される導光部材であり、キャリッジ８と受光部２８へそれぞれ固定されている。また、導光部材２３はトレイカバー３１に設けられている案内部材３２によって受光部材２８へ導かれている。なお、案内部材３２の傾斜は受光部固定台２ｂとほぼ同一の角度としている。また、キャリッジ８はスピンドルモータ７に対し、近づいたり離れたりすることで光ディスク９の内外周で情報の記録や再生を行うようになっている。このため、導光部材２３は数百万回にのぼる往復動作に耐えるために可撓性のある、細く、やわらかいものとなっている。
【００４５】
以上の構成により、発光部３０より発光された光（図示せず）は、光ディスク９に光を照射することで情報を光ディスク９に記録したり、また、光ディスク９からの反射光を導光部材２３を介して受光部２８へ導くことで情報の再生を行ったりしている。また、キャリッジ８がスピンドルモータ７に対し、近づいたり離れたりすることで光ディスク９の内外周で情報の記録や再生を行えるようになっている。
【００４６】
なお実施の形態３において、受光部２８の固定の傾斜角度および、導光部材２３を案内している案内部材３２の傾斜角度は、光ディスク９に対し０°以上４５°程度までの角度が好ましい。０°以上４５°以下でないと、受光部２８の高さが高くなり接続部２９にストレスを与えずにレイアウトすることが困難になる。
【００４７】
（実施の形態４）
図１１は本発明の実施の形態４における光ディスク装置のトレイ部の裏面を示す斜視図（トレイカバー３１は図示せず）である。図１４は本発明の実施の形態４における光ディスク装置の部分断面図であり、図１１の断面Ｄ−Ｄを示す。図１〜図４、図１５〜図１８に示す符合と同じものは、同様の構成、機能である。
【００４８】
図１１では、キャリッジ８の２状態を同時に示している。８ａ、８ｂはキャリッジ８であり、８ａはキャリッジ８がスピンドルモータ７に対し近づいた状態、８ｂはキャリッジ８がスピンドルモータ７に対し離れた状態を示す。図１１、図１３において、２８は光学装置の受光部であり、トレイ２の受光部固定台２ｂに受光部２８が固定され、この受光部２８と接続部２９において接続する導光部材２３の受光方向Ｙは、トレイ２のスピンドルモータ７に装着された光ディスク９側（光ディスク保持面側）に傾斜している。
【００４９】
また受光部２８は固定ピン２６と固定ばね２７にてキャリッジ８の移動方向に対し回動自在に、且つ、キャリッジ８の移動方向と垂直方向に対し、可動自在に固定している。なお、光学装置の他部（発光部３０等）はキャリッジ８に搭載されている。２３は光ファイバ等で構成される導光部材であり、キャリッジ８と受光部２８へそれぞれ固定されている。なお、キャリッジ８はスピンドルモータ７に対し、近づいたり離れたりすることで光ディスク９の内外周で情報の記録や再生を行うようになっている。このため、導光部材２３は数百万回にのぼる往復動作に耐えるために可撓性のある、細く、やわらかいものとなっている。
【００５０】
以上の構成により、発光部３０より発光された光（図示せず）は、光ディスク９に光を照射することで情報を光ディスク９に記録したり、また、光ディスク９からの反射光を導光部材２３を介して受光部２８へ導くことで情報の再生を行ったりしている。また、キャリッジ８がスピンドルモータ７に対し、近づいたり離れたりすることで光ディスク９の内外周で情報の記録や再生を行えるようになっている。
【００５１】
なお実施の形態４において、受光部２８の固定の傾斜角度は、光ディスク９に対し０°以上４５°程度までの角度が好ましい。０°以上４５°以下でないと、受光部２８の高さが高くなり接続部２９にストレスを与えずにレイアウトすることが困難になる。
【産業上の利用可能性】
【００５２】
本発明は、光学装置に導光部材を使用した場合でも導光部材（光ファイバ等）と光学装置間の接続部の破損を回避するとともに、破損した場合でも使用者にとって危険性のない光ディスク装置を提供することができるので、小型・軽量化が必要となるパーソナルコンピュータ等の据え置き型電子機器やノートブックパソコン，携帯型情報端末機器，携帯型映像装置等の携帯型電子機器に適応可能である。
【図面の簡単な説明】
【００５３】
【図１】本発明の実施の形態１における光ディスク装置の表面を示す斜視図
【図２】本発明の実施の形態１における光ディスク装置の表面を示す斜視図
【図３】本発明の実施の形態１における光ディスク装置の表面を示す斜視図
【図４】本発明の実施の形態１における光ディスク装置の裏面を示す斜視図
【図５】本発明の実施の形態１における光ディスク装置のトレイ部の裏面を示す斜視図
【図６】本発明の実施の形態２における光ディスク装置のトレイ部の裏面を示す斜視図
【図７】本発明の実施の形態１における光ディスク装置の部分断面図
【図８】本発明の実施の形態２における光ディスク装置の部分断面図
【図９】本発明の実施の形態１における光ディスク装置の構成を示す図
【図１０】本発明の実施の形態３における光ディスク装置のトレイ部の裏面を示す斜視図
【図１１】本発明の実施の形態４における光ディスク装置のトレイ部の裏面を示す斜視図
【図１２】本発明の実施の形態３における光ディスク装置の部分断面図
【図１３】本発明の実施の形態３における光ディスク装置の部分断面図
【図１４】本発明の実施の形態４における光ディスク装置の部分断面図
【図１５】従来の光ディスク装置を示す部分斜視図
【図１６】従来の光ディスク装置を示す部分斜視図
【図１７】従来の光ディスク装置を示す部分斜視図
【図１８】従来の光ディスク装置を示す部分斜視図
【符号の説明】
【００５４】
１    カバー
２    トレイ
３    ベゼル
４    イジェクトボタン
５    開口部
６    光ピックアップモジュール
７    スピンドルモータ
８    キャリッジ
９    光ディスク
１０    ピックアップカバー
１１    モータ
１２，１３    レール
１４，１５    レールガイド
１６    固定部
１７    係止爪
１８    制御基板
１９，２０    集積回路
２１    プリント基板
２２    発光部
２３    導光部材
２４    接続部
２５    受光部
２６    固定ピン
２７    固定ばね
２８    受光部
２９    接続部
３０    発光部
３１    トレイカバー
３２    案内部材
【図１】
2006236428.tif 000003
【図２】
2006236428.tif 000004
【図３】
2006236428.tif 000005
【図４】
2006236428.tif 000006
【図５】
2006236428.tif 000007
【図６】
2006236428.tif 000008
【図７】
2006236428.tif 000009
【図８】
2006236428.tif 000010
【図９】
2006236428.tif 000011
【図１０】
2006236428.tif 000012
【図１１】
2006236428.tif 000013
【図１２】
2006236428.tif 000014
【図１３】
2006236428.tif 000015
【図１４】
2006236428.tif 000016
【図１５】
2006236428.tif 000017
【図１６】
2006236428.tif 000018
【図１７】
2006236428.tif 000019
【図１８】
2006236428.tif 000020